(57)【要約】【課題】蓄電装置の状態を適切に管理するための情報端末の制御方法を提供する。【解決手段】本開示の一態様に係る情報端末の制御方法は、情報端末の使用者が電動移動体を利用したときに、情報端末の通信器であり電動移動体に搭載される蓄電装置と近距離無線通信する通信器である第１通信器を介して、蓄電装置の状態を示す情報を取得するステップ（Ｓ１０１）と、蓄電装置の状態を示す情報を、情報端末の通信器でありサーバ装置と通信する通信器である第２通信器を介して、サーバ装置に送信するステップ（Ｓ１０２）とを備える。【選択図】図５
2017045718.tif 000002
【特許請求の範囲】
【請求項１】
情報端末の制御方法であって、
前記情報端末の使用者が電動移動体を利用したときに、前記情報端末の通信器であり前記電動移動体に搭載される蓄電装置と近距離無線通信する通信器である第１通信器を介して、前記蓄電装置の状態を示す情報を取得するステップと、
前記蓄電装置の状態を示す情報を、前記情報端末の通信器でありサーバ装置と通信する通信器である第２通信器を介して、前記サーバ装置に送信するステップとを備える、
情報端末の制御方法。
【請求項２】
前記電動移動体の利用開始時に、前記第１通信器を介して、前記蓄電装置の状態を示す情報を取得する、
請求項１に記載の情報端末の制御方法。
【請求項３】
前記電動移動体の利用終了時に、前記第１通信器を介して、前記蓄電装置の状態を示す情報を取得する、
請求項１に記載の情報端末の制御方法。
【請求項４】
さらに、前記蓄電装置の状態を示す情報の取得中であることを報知するステップを備える、
請求項１〜３のいずれか１項に記載の情報端末の制御方法。
【請求項５】
前記電動移動体の利用中に、定期的に前記第１通信器を介して前記蓄電装置の状態を示す情報を取得し、
前記電動移動体の利用終了後に、定期的に前記第１通信器を介して取得された前記情報のうち前記電動移動体の利用終了に最も近いときに前記第１通信器を介して取得された情報を、前記第２通信器を介して前記サーバ装置に送信する、
請求項１に記載の情報端末の制御方法。
【請求項６】
さらに、前記情報端末の使用者が前記電動移動体を利用したときに、前記蓄電装置との近距離無線通信を有効にするステップを備える、
請求項１〜５のいずれか１項に記載の情報端末の制御方法。
【請求項７】
さらに、前記蓄電装置の状態を示す情報を取得すると、前記蓄電装置との近距離無線通信を無効にするステップを備える、
請求項６に記載の情報端末の制御方法。
【請求項８】
さらに、前記情報端末の使用者が前記電動移動体を利用したときに、前記蓄電装置との近距離無線通信を有効にすることを要求する情報を表示画面に表示させるステップを備える、
請求項１〜７のいずれか１項に記載の情報端末の制御方法。
【請求項９】
請求項１に記載の情報端末の制御方法を前記情報端末に実行させるためのプログラム。
【請求項１０】
蓄電装置と近距離無線通信する第１通信器と、
サーバ装置と通信する第２通信器と、
情報端末の使用者が電動移動体を利用したときに、前記第１通信器を介して、前記蓄電装置の状態を示す情報を取得し、前記蓄電装置の状態を示す情報を、前記第２通信器を介して、前記サーバ装置に送信する制御器とを備える、
情報端末。
【発明の詳細な説明】
【技術分野】
【０００１】
本開示は、蓄電装置を管理するための情報端末の制御方法及び情報端末等に関する。
【背景技術】
【０００２】
従来、任意の場所でバッテリーパック等の貸し借りを行えるようなレンタルシステムが提案されている（特許文献１）。また、ユーザに充電済みの２次電池を提供するサービスを行う２次電池再利用システムが提案されている（特許文献２）。
【先行技術文献】
【特許文献】
【０００３】
【特許文献１】特開２００１−３０６９６１号公報
【特許文献２】特開２００８−２５０７８６号公報
【発明の概要】
【発明が解決しようとする課題】
【０００４】
しかしながら、例えば、貸与された蓄電装置の状態が適切に管理されず、蓄電装置の寿命および異常が看過される可能性がある。
【０００５】
上記事情を鑑み、例示的な実施の形態は、蓄電装置の状態を適切に管理するための情報端末の制御方法及び情報端末等を提供する。
【課題を解決するための手段】
【０００６】
本開示の一態様に係る情報端末の制御方法は、前記情報端末の使用者が電動移動体を利用したときに、前記情報端末の通信器であり前記電動移動体に搭載される蓄電装置と近距離無線通信する通信器である第１通信器を介して、前記蓄電装置の状態を示す情報を取得するステップと、前記蓄電装置の状態を示す情報を、前記情報端末の通信器でありサーバ装置と通信する通信器である第２通信器を介して、前記サーバ装置に送信するステップとを備える。
【０００７】
本開示の一態様に係る情報端末は、蓄電装置と近距離無線通信する第１通信器と、サーバ装置と通信する第２通信器と、情報端末の使用者が電動移動体を利用したときに、前記第１通信器を介して、前記蓄電装置の状態を示す情報を取得し、前記蓄電装置の状態を示す情報を、前記第２通信器を介して、前記サーバ装置に送信する制御器とを備える。
【０００８】
なお、これらの包括的または具体的な態様は、システム、装置、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【発明の効果】
【０００９】
本開示の一態様に係る情報端末の制御方法及び情報端末等によって、蓄電装置の状態が適切に管理される。
【図面の簡単な説明】
【００１０】
【図１】図１は、実施の形態におけるシステム環境を示す模式図である。
【図２】図２は、実施の形態における蓄電装置および電動移動体の構成を示すブロック図である。
【図３】図３は、実施の形態における情報端末およびサーバ装置の構成を示すブロック図である。
【図４】図４は、実施の形態における通信を示す模式図である。
【図５】図５は、実施の形態における情報端末の動作を示すフローチャートである。
【図６】図６は、実施の形態における利用状態の判定基準を説明するための説明図である。
【図７】図７は、実施の形態における利用開始段階の動作を示すフローチャートである。
【図８】図８は、実施の形態における利用中段階の動作を示すフローチャートである。
【図９】図９は、実施の形態における利用終了段階の動作を示すフローチャートである。
【図１０】図１０は、実施の形態における情報端末の動作の第１変形例を示すフローチャートである。
【図１１】図１１は、実施の形態における移動の判定基準を説明するための説明図である。
【図１２】図１２は、実施の形態における情報端末の動作の第２変形例を示すフローチャートである。
【図１３】図１３は、実施の形態における近距離無線通信を有効にするための要求の表示例を示す模式図である。
【発明を実施するための形態】
【００１１】
（本開示の基礎となった知見）
本発明者は、「背景技術」の欄において記載した、蓄電装置の貸与に関し、以下の課題を見出した。以下、具体的に説明する。
【００１２】
近年、電動自転車、電動スクーターおよび電気自動車などのような電動移動体が普及し始めている。このような電動移動体には、蓄電装置が利用される。一方、電動移動体に利用される大容量の蓄電装置は高価である場合が多い。そのため、特許文献１または特許文献２のような、蓄電装置の貸与システムが提案されている。
【００１３】
しかしながら、例えば、貸与された蓄電装置の状態が適切に管理されず、蓄電装置の寿命および異常が看過される可能性がある。このような蓄電装置の状態を適切に管理するため、蓄電装置の状態を示す情報を適切に収集することが求められる。
【００１４】
そこで、本開示の第１態様に係る情報端末の制御方法は、前記情報端末の使用者が電動移動体を利用したときに、前記情報端末の通信器であり前記電動移動体に搭載される蓄電装置と近距離無線通信する通信器である第１通信器を介して、前記蓄電装置の状態を示す情報を取得するステップと、前記蓄電装置の状態を示す情報を、前記情報端末の通信器でありサーバ装置と通信する通信器である第２通信器を介して、前記サーバ装置に送信するステップとを備える。
【００１５】
これにより、電動移動体を利用したときに、情報端末を介して、蓄電装置の状態を示す情報がサーバ装置に送信される。したがって、蓄電装置の状態を示す情報の履歴がサーバ装置に蓄積されずに、使用者が蓄電装置を使用し続けるという状況の発生が低減されるので、蓄電装置の状態が適切に管理される。また、蓄電装置自体がサーバ装置と直接通信を行う通信器を備えていなくても、蓄電装置の状態を示す情報がサーバ装置に送信される。また、電動移動体が利用されたとき、蓄電装置と情報端末とは、互いに近距離無線通信することが可能な近い距離に存在すると想定される。したがって、蓄電装置の状態を示す情報が、情報端末を介して適切にサーバ装置に送信される。
【００１６】
なお、「電動移動体を利用したときに」は、例えば、「電動移動体の利用開始から利用終了までの間に」を意味する。ここで、「利用開始」は、使用者が、利用開始にあたり使用者の携帯する情報端末と蓄電装置が通信距離範囲内にあるときも含む。例えば、電動移動体の始動は開始してないが、使用者が電動移動体の利用開始のため電動移動体に近づき、上記通信距離範囲内にあるときも含む。また、「利用終了」は、利用終了にあたり使用者の携帯する情報端末と蓄電装置が通信距離範囲内にあるときも含む。例えば、電動移動体は停止しているが、使用者が上記通信距離範囲内にあるときも含む。つまり、換言すれば、「電動移動体を利用したときに」は、「電動移動体の利用にあたって、使用者が携帯している情報端末が蓄電装置と通信可能な範囲にあるとき」を意味する。
【００１７】
本開示の第２態様の情報端末の制御方法は、例えば、上記第１態様の情報端末の制御方法において、前記電動移動体の利用開始時に、前記第１通信器を介して、前記蓄電装置の状態を示す情報を取得してもよい。
【００１８】
これにより、蓄電装置の利用開始時の蓄電装置の状態を示す情報が、情報端末を介して、サーバ装置に送信される。したがって、蓄電装置の利用開始時の蓄電装置の状態を示す情報を収集することが可能である。
【００１９】
また、本開示の第３態様の情報端末の制御方法は、例えば、上記第１態様の情報端末の制御方法において、前記電動移動体の利用終了時に、前記第１通信器を介して、前記蓄電装置の状態を示す情報を取得してもよい。
【００２０】
これにより、蓄電装置の利用終了時の蓄電装置の状態を示す情報が、情報端末を介して、サーバ装置に送信される。したがって、蓄電装置の利用終了時の蓄電装置の状態を示す情報を収集することが可能である。
【００２１】
また、本開示の第４態様の情報端末の制御方法は、例えば、上記第１態様−第３態様のいずれか１つの情報端末の制御方法において、さらに、前記蓄電装置の状態を示す情報の取得中であることを報知するステップを備えてもよい。
【００２２】
これにより、蓄電装置の状態を示す情報が取得されていることを確認することが可能である。
【００２３】
また、本開示の第５態様の情報端末の制御方法は、例えば、上記第１態様の情報端末の制御方法において、前記電動移動体の利用中に、定期的に前記第１通信器を介して前記蓄電装置の状態を示す情報を取得し、前記電動移動体の利用終了後に、定期的に前記第１通信器を介して取得された前記情報のうち前記電動移動体の利用終了に最も近いときに前記第１通信器を介して取得された情報を、前記第２通信器を介して前記サーバ装置に送信してもよい。
【００２４】
これにより、蓄電装置の利用終了間際における蓄電装置の状態を示す情報を収集することが可能である。
【００２５】
また、本開示の第６態様の情報端末の制御方法は、例えば、上記第１態様−第５態様のいずれか１つの情報端末の制御方法において、さらに、前記情報端末の使用者が前記電動移動体を利用したときに、前記蓄電装置との近距離無線通信を有効にするステップを備えてもよい。
【００２６】
これにより、情報端末の使用者が電動移動体を利用したときに、情報端末が蓄電装置と近距離無線通信することが許可される。したがって、蓄電装置の状態を示す情報を適切に収集することが可能である。
【００２７】
また、本開示の第７態様の情報端末の制御方法は、例えば、上記第６態様の情報端末の制御方法において、さらに、前記蓄電装置の状態を示す情報を取得すると、前記蓄電装置との近距離無線通信を無効にするステップを備えてもよい。
【００２８】
これにより、蓄電装置の状態を示す情報が取得されると、情報端末が蓄電装置と近距離無線通信することが禁止される。これにより、近距離無線通信を適切に制限することが可能である。
【００２９】
また、本開示の第８態様の情報端末の制御方法は、例えば、上記第１態様−第７態様のいずれか１つの情報端末の制御方法において、さらに、前記情報端末の使用者が前記電動移動体を利用したときに、前記蓄電装置との近距離無線通信を有効にすることを要求する情報を表示画面に表示させるステップを備えてもよい。
【００３０】
これにより、情報端末の使用者が電動移動体を利用したときに、近距離無線通信を有効にすることが促され、情報端末が蓄電装置と近距離無線通信することが許可される。したがって、蓄電装置の状態を示す情報を適切に収集することが可能である。
【００３１】
また、本開示の第９態様のプログラムは、例えば、本開示の第１態様に係る情報端末の制御方法を情報端末に実行させるためのプログラムでもよい。
【００３２】
これにより、情報端末の制御方法が、プログラムで実現される。そして、プログラムを実行することで、蓄電装置の状態を示す情報がサーバ装置に送信され、蓄電装置の状態が適切に管理される。
【００３３】
また、本開示の第１０態様の情報端末は、蓄電装置と近距離無線通信する第１通信器と、サーバ装置と通信する第２通信器と、情報端末の使用者が電動移動体を利用したときに、前記第１通信器を介して、前記蓄電装置の状態を示す情報を取得し、前記蓄電装置の状態を示す情報を、前記第２通信器を介して、前記サーバ装置に送信する制御器とを備える。
【００３４】
これにより、電動移動体を利用したときに、情報端末を介して、蓄電装置の状態を示す情報がサーバ装置に送信される。したがって、蓄電装置の状態を示す情報の履歴がサーバ装置に蓄積されずに、使用者が蓄電装置を使用し続けるという状況の発生が低減されるので、蓄電装置の状態が適切に管理される。また、蓄電装置自体がサーバ装置と直接通信を行う通信器を備えていなくても、蓄電装置の状態を示す情報がサーバ装置に送信される。また、電動移動体が利用されたとき、蓄電装置と情報端末とは、互いに近距離無線通信することが可能な近い距離に存在すると想定される。したがって、蓄電装置の状態を示す情報が、情報端末を介して適切にサーバ装置に送信される。
【００３５】
なお、これらの包括的または具体的な態様は、システム、装置、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムまたは記録媒体の任意な組み合わせで実現されてもよい。
【００３６】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００３７】
また、表現上、第１、第２および第３などの序数が、構成要素などに対して、適宜付け加えられてもよい。また、以下の説明では、無線通信の技術が利用される通信を無線通信と呼ぶ。すなわち、部分的に有線通信が利用される場合であっても、無線通信を含み、無線通信の技術が利用される通信は、無線通信として記載される場合がある。
【００３８】
（実施の形態）
図１は、本実施の形態におけるシステム環境を示す模式図である。図１には、蓄電装置を貸与するためのシステム環境が示されている。
【００３９】
サービスセンター１１０では、蓄電装置の貸し出し、または、蓄電装置の返却が行われる。蓄電装置の使用者は、サービスセンター１１０で蓄電装置を借り、サービスセンター１１０で蓄電装置を返却する。サービスセンター１１０には、充電ロッカー１１１、情報処理装置１１５、検査装置１１６、カードリーダー１１７、および、ルータ装置１２０等が設置されている。
【００４０】
充電ロッカー１１１は、蓄電装置を充電するためのロッカーである。充電ロッカー１１１は、電力系統から供給される電力を用いて、蓄電装置を充電する。
【００４１】
蓄電装置１１２〜１１４のそれぞれは、本開示の蓄電装置の一例であって、使用者に貸し出すための蓄電装置である。蓄電装置１１２〜１１４は、充電ロッカー１１１に収納され、充電される。
【００４２】
情報処理装置１１５は、管理センター１３０のサーバ装置１３１と通信し、貸し出される蓄電装置、および、返却された蓄電装置等の状態を確認するための装置である。情報処理装置１１５は、例えば、無線ＬＡＮ（Ｌｏｃａｌ  Ａｒｅａ  Ｎｅｔｗｏｒｋ）に代表される無線通信の国際標準規格であるＩＥＥＥ８０２．１１規格に従って、ルータ装置１２０と無線通信する。そして、情報処理装置１１５は、ルータ装置１２０およびネットワーク１８０を介して、管理センター１３０のサーバ装置１３１と通信する。
【００４３】
検査装置１１６は、蓄電装置の状態の検査に用いられる装置である。具体的には、検査装置１１６は、蓄電装置の識別情報等を取得し、情報処理装置１１５に送信する。そして、情報処理装置１１５が、蓄電装置の識別情報等に基づいて、サーバ装置１３１から蓄電装置の状態を示す情報を取得することにより、蓄電装置の状態を検査する。
【００４４】
カードリーダー１１７は、会員カード１１９の情報を読み出す装置である。例えば、カードリーダー１１７は、会員カード１１９から使用者の識別情報である使用者ＩＤ（使用者識別子）を読み出し、使用者ＩＤを情報処理装置１１５に送信する。情報処理装置１１５は、蓄電装置の識別情報である電池ＩＤ（電池識別子）と使用者の識別情報である使用者ＩＤとを対応付けてサーバ装置１３１においてそれらを記憶させる。
【００４５】
蓄電装置１１８は、本開示の蓄電装置の一例であって、使用者に貸し出すための蓄電装置、または、使用者から返却された蓄電装置である。蓄電装置１１８は、検査装置１１６に接続され検査される。
【００４６】
会員カード１１９は、使用者を識別するためのＩＣカードである。例えば、会員カード１１９には、使用者ＩＤが記憶されている。
【００４７】
ルータ装置１２０は、情報処理装置１１５とネットワーク１８０とを接続するための装置である。
【００４８】
管理センター１３０では、貸与された蓄電装置の状態を示す情報が収集され、蓄積される。管理センター１３０には、サーバ装置１３１が設置されている。
【００４９】
サーバ装置１３１は、本開示のサーバ装置の一例であって、蓄電装置の状態を示す情報を収集する装置である。具体的には、サーバ装置１３１は、情報端末を介して蓄電装置の状態を示す情報を受信することにより、蓄電装置の状態を示す情報を取得する。そして、サーバ装置１３１は、蓄電装置の状態を示す情報をサーバ装置１３１の記憶器１３２に蓄積する。また、サーバ装置１３１は、蓄電装置の識別情報と、使用者の識別情報とを対応付けてサーバ装置１３１の記憶器１３２に記憶する。
【００５０】
記憶器１３２は、情報を記憶するための記憶器である。具体的には、蓄電装置の状態を示す情報が記憶器１３２に記憶される。また、蓄電装置の識別情報と、使用者の識別情報とが対応付けられて記憶器１３２に記憶される。また、記憶器１３２には、データベースが構築されていてもよい。そして、情報がデータベースのデータとして記憶されてもよい。
【００５１】
家１４０は、蓄電装置の使用者の家である。家１４０には、充電装置１４１およびルータ装置１４４等が設置される。
【００５２】
充電装置１４１は、蓄電装置を充電するための充電器である。充電装置１４１は、電力系統から供給される電力を用いて、蓄電装置を充電する。
【００５３】
蓄電装置１４２は、本開示の蓄電装置の一例であって、使用者に貸し出された蓄電装置である。図１の例では、蓄電装置１４２は、充電装置１４１によって充電されている。
【００５４】
情報端末１４３は、本開示の情報端末の一例である。情報端末１４３は、携帯端末でもよいし、携帯電話でもよいし、スマートフォンでもよい。図１の例では、情報端末１４３は、蓄電装置１４２の使用者が所持する情報端末である。例えば、情報端末１４３は、使用者の操作に基づいて、蓄電装置１４２の状態を示す情報を取得する。そして、情報端末１４３は、使用者の操作に基づいて、ルータ装置１４４およびネットワーク１８０を介して、蓄電装置１４２の状態を示す情報をサーバ装置１３１に送信する。
【００５５】
例えば、情報端末１４３は、Ｂｌｕｅｔｏｏｔｈ（登録商標）に代表される近距離無線通信の国際標準規格であるＩＥＥＥ８０２．１５．１規格に従って、蓄電装置１４２と近距離無線通信を行う。また、情報端末１４３は、無線通信の国際標準規格であるＩＥＥＥ８０２．１１規格に従って、ルータ装置１４４と無線通信を行う。
【００５６】
ルータ装置１４４は、情報端末１４３とネットワーク１８０とを接続するための装置である。
【００５７】
電動自転車１５０は、本開示の電動移動体の一例である。電動自転車１５０は、電動アシスト自転車でもよい。例えば、電動自転車１５０は、蓄電装置１５１の放電電力を用いて、電動機１５２を動作させることにより移動する。また、電動自転車１５０は、回生ブレーキ等により、蓄電装置１５１の充電を行ってもよい。
【００５８】
蓄電装置１５１は、本開示の蓄電装置の一例であって、電動自転車１５０に搭載される蓄電装置である。蓄電装置１５１は、電力を放電することで電動機１５２に電力を供給する。また、蓄電装置１５１は、回生ブレーキ等によって供給される電力を充電する。
【００５９】
また、蓄電装置１５１は、近距離無線通信の国際標準規格であるＩＥＥＥ８０２．１５．１規格に従って、情報端末１５３と近距離無線通信を行う。そして、蓄電装置１５１は、情報端末１５３に蓄電装置１５１の状態を示す情報を送信する。
【００６０】
電動機１５２は、電力によって動作するモータである。例えば、電動機１５２は、蓄電装置１５１から供給される電力によって動作する。電動自転車１５０は、電動機１５２が動作することによって移動する。電動機１５２は、回生ブレーキ等を備えてもよい。
【００６１】
情報端末１５３は、本開示の情報端末の一例である。情報端末１５３は、携帯端末でもよいし、携帯電話でもよいし、スマートフォンでもよい。図１の例では、情報端末１５３は、電動自転車１５０の使用者が所持する情報端末である。例えば、情報端末１５３は、情報端末１５３の使用者が電動自転車１５０を利用したときに、蓄電装置１５１の状態を示す情報を取得する。そして、情報端末１５３は、ネットワーク１８０を介して、蓄電装置１５１の状態を示す情報をサーバ装置１３１に送信する。したがって、蓄電装置１５１の状態を示す情報の履歴がサーバ装置１３１に蓄積されずに、使用者が蓄電装置１５１を使用し続けるという状況の発生が低減される。
【００６２】
例えば、情報端末１５３は、近距離無線通信の国際標準規格であるＩＥＥＥ８０２．１５．１規格に従って、蓄電装置１５１と近距離無線通信を行う。また、情報端末１５３は、第３世代移動通信システム（３Ｇ）または第４世代移動通信システム（４Ｇ）等のような移動通信システムで利用される通信規格に従って、サーバ装置１３１と無線通信を行う。
【００６３】
移動通信システムで利用される通信規格は、具体的には、ＩＭＴ−２０００でもよいし、ＩＭＴ−Ａｄｖａｎｃｅｄでもよいし、その他の通信規格でもよい。ＩＭＴ−２０００は、Ｉｎｔｅｒｎａｔｉｏｎａｌ  Ｍｏｂｉｌｅ  Ｔｅｌｅｃｏｍｍｕｎｉｃａｔｉｏｎｓ−２０００とも表現される。また、ＩＭＴ−Ａｄｖａｎｃｅｄは、Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄとも表現される。
【００６４】
電動スクーター１６０は、本開示の電動移動体の一例である。例えば、電動スクーター１６０は、蓄電装置１６１、１６２の放電電力を用いて、電動機１６３を動作させることにより移動する。また、電動スクーター１６０は、回生ブレーキ等により、蓄電装置１６１、１６２の充電を行ってもよい。
【００６５】
蓄電装置１６１、１６２のそれぞれは、本開示の蓄電装置の一例であって、電動スクーター１６０に搭載される蓄電装置である。電動スクーター１６０における蓄電装置１６１、１６２の役割は、電動自転車１５０における蓄電装置１５１の役割と同じである。電動スクーター１６０は、電動自転車１５０よりも大きな動力で移動するため、電動自転車１５０で用いられる蓄電装置１５１よりも多い蓄電装置１６１、１６２が用いられる。
【００６６】
電動機１６３は、電力によって動作するモータである。電動スクーター１６０における電動機１６３の役割は、電動自転車１５０における電動機１５２の役割と同じである。電動スクーター１６０の電動機１６３は、電動自転車１５０の電動機１５２よりも大きな動力を生成する。
【００６７】
情報端末１６４は、本開示の情報端末の一例である。図１の例では、情報端末１６４は、電動スクーター１６０の使用者が所持する情報端末である。例えば、情報端末１６４は、情報端末１６４の使用者が電動スクーター１６０を利用したときに、蓄電装置１６１、１６２の状態を示す情報を取得する。そして、情報端末１６４は、ネットワーク１８０を介して、蓄電装置１６１、１６２の状態を示す情報をサーバ装置１３１に送信する。したがって、蓄電装置１６１、１６２の状態を示す情報の履歴がサーバ装置１３１に蓄積されずに、使用者が蓄電装置１６１、１６２を使用し続けるという状況の発生が低減される。情報端末１６４の具体的な動作は、情報端末１５３の具体的な動作と同じである。
【００６８】
電気自動車１７０は、本開示の電動移動体の一例である。電気自動車１７０は、ハイブリッド自動車でもよい。例えば、電気自動車１７０は、蓄電装置１７１〜１７４の放電電力を用いて、電動機１７５を動作させることにより移動する。また、電気自動車１７０は、回生ブレーキ等により、蓄電装置１７１〜１７４の充電を行ってもよい。
【００６９】
蓄電装置１７１〜１７４のそれぞれは、本開示の蓄電装置の一例であって、電気自動車１７０に搭載される蓄電装置である。電気自動車１７０における蓄電装置１７１〜１７４の役割は、電動自転車１５０における蓄電装置１５１の役割と同じである。電気自動車１７０は、より大きな動力で移動するため、より多くの蓄電装置１７１〜１７４が用いられる。
【００７０】
電動機１７５は、電力によって動作するモータである。電気自動車１７０における電動機１７５の役割は、電動自転車１５０における電動機１５２の役割と同じである。電動機１７５は、より大きな動力を生成する。
【００７１】
情報端末１７６は、本開示の情報端末の一例である。図１の例では、情報端末１７６は、電気自動車１７０の使用者が所持する情報端末である。
【００７２】
例えば、情報端末１７６は、情報端末１７６の使用者が電気自動車１７０を利用したときに、蓄電装置１７１〜１７４の状態を示す情報を取得する。そして、情報端末１７６は、ネットワーク１８０を介して、蓄電装置１７１〜１７４の状態を示す情報をサーバ装置１３１に送信する。したがって、蓄電装置１７１〜１７４の状態を示す情報の履歴がサーバ装置１３１に蓄積されずに、使用者が蓄電装置１７１〜１７４を使用し続けるという状況の発生が低減される。情報端末１７６の具体的な動作は、情報端末１５３の具体的な動作と同じである。
【００７３】
ネットワーク１８０は、各種の通信機器が通信するための通信ネットワークである。具体的には、ネットワーク１８０を介して、情報端末１４３、１５３、１６４、１７６、および、サーバ装置１３１等が互いに通信する。ネットワーク１８０は、例えば、インターネットである。
【００７４】
図２は、図１に示されたシステム環境における蓄電装置および電動移動体の構成を示すブロック図である。図２には、情報端末２１０、蓄電装置２３０および電動移動体２５０が示されている。
【００７５】
情報端末２１０は、本開示の情報端末の一例であって、図１に示された情報端末１４３、１５３、１６４、１７６に対応し、携帯端末でもよいし、携帯電話でもよいし、スマートフォンでもよい。情報端末２１０は、情報端末２１０の使用者が携帯することが可能な端末である。
【００７６】
蓄電装置２３０は、本開示の蓄電装置の一例であって、図１に示された蓄電装置１１２〜１１４、１１８、１４２、１５１、１６１、１６２、１７１〜１７４に対応する。また、蓄電装置２３０は、通信器２３１、表示器２３２、蓄電池２３３、制御器２３４、入出力器２３５、記憶器２３６、検出器２３７、プラス端子２３８、通信端子２３９、および、マイナス端子２４０を備える。
【００７７】
通信器２３１は、情報端末２１０と近距離無線通信するための通信器である。例えば、通信器２３１は、近距離無線通信の国際標準規格であるＩＥＥＥ８０２．１５．１規格に従って、情報端末２１０と近距離無線通信を行う。そして、通信器２３１は、蓄電装置２３０の状態を示す情報を情報端末２１０に送信する。
【００７８】
表示器２３２は、蓄電装置２３０の状態等を表示するための表示器である。表示器２３２は、蓄電装置２３０が動作しているか否かを示すインジケータでもよい。
【００７９】
蓄電池２３３は、電力を蓄積するための蓄電池である。蓄電装置２３０に入力された電力は、蓄電池２３３に充電される。また、蓄電池２３３から放電された電力が、蓄電装置２３０から出力される。
【００８０】
制御器２３４は、蓄電装置２３０の動作を制御するための制御器である。制御器２３４は、演算処理器（図示せず）と、制御プログラムを記憶する記憶器（図示せず）とを備えてもよい。演算処理器としては、ＭＰＵ、ＣＰＵが例示される。記憶器としては、メモリが例示される。制御プログラムを記憶する記憶器として、記憶器２３６が用いられてもよい。制御器２３４は、集中制御を行う単独の制御器で構成されていてもよいし、互いに協働して分散制御を行う複数の制御器で構成されていてもよい。
【００８１】
記憶器２３６は、情報を記憶するための記憶器である。例えば、蓄電装置２３０の状態を示す情報が制御器２３４によって記憶器２３６に記憶される。蓄電装置２３０の状態を示す情報は、２、３日間のように比較的短い期間の履歴として、記憶器２３６に蓄積されてもよい。あるいは、蓄電装置２３０の状態を示す最新の情報のみが、記憶器２３６に記憶されてもよい。あるいは、履歴と最新の情報とが組み合わされて、記憶器２３６に記憶されてもよい。
【００８２】
蓄電装置２３０の状態を示す情報は、蓄電装置２３０に関する電池残容量、充電回数、放電回数、総充電量、総放電量、電池電圧、電池温度、学習容量、異常、衝撃、ＦＥＴ（電界効果トランジスタ）温度、および、現状の動作状態等を示す情報である。蓄電装置２３０の状態を示す情報は、これらの一部でもよい。
【００８３】
また、記憶器２３６には、蓄電装置２３０に関する電池ＩＤ、製造日および製造メーカを示す情報が記憶されてもよい。蓄電装置２３０の状態を示す情報には、電池ＩＤ、製造日および製造メーカを示す情報の一部または全てが含まれてもよい。
【００８４】
検出器２３７は、蓄電装置２３０の状態を検出するための検出器である。検出器２３７は、例えば、蓄電装置２３０に関する電池残容量、充電回数、放電回数、総充電量、総放電量、電池電圧、電池温度、学習容量、異常、衝撃、ＦＥＴ温度、および、現状の動作状態等を検出する。検出器２３７は、各種センサーを備えていてもよい。制御器２３４は、例えば、検出器２３７で検出された状態を示す情報を記憶器２３６に記憶する。
【００８５】
入出力器２３５は、情報および電力の入出力を行うための入出力器である。例えば、入出力器２３５は、電動移動体２５０へ情報および電力を出力する。また、入出力器２３５は、電動移動体２５０から情報および電力の入力を受け付ける。入出力器２３５は、プラス端子２３８、通信端子２３９、および、マイナス端子２４０を備えてもよい。
【００８６】
プラス端子２３８は、プラス極に対応する端子である。プラス端子２３８は、電動移動体２５０のプラス端子２５２に接続される。プラス端子２３８は、充電用のプラス端子と、放電用のプラス端子とを別々に備えていてもよい。
【００８７】
通信端子２３９は、通信用の端子である。例えば、通信端子２３９は、蓄電装置２３０と電動移動体２５０との間の通信の伝送路を確立するため、電動移動体２５０の通信端子２５３に接続される。通信端子２３９は、送信用の端子と、受信用の端子とを別々に備えてもよい。また、通信端子２３９は、接続相手を識別するためのＩＤ端子を備えていてもよい。このようなＩＤ端子は、通信端子２３９とは別に蓄電装置２３０に備えられていてもよい。
【００８８】
マイナス端子２４０は、マイナス極に対応する端子である。例えば、マイナス端子２４０は、電動移動体２５０のマイナス端子２５４に接続される。マイナス端子２４０は、基本的に、蓄電装置２３０の充電と放電とで共通して用いられる。
【００８９】
電動移動体２５０は、本開示の電動移動体の一例であって、図１に示された電動自転車１５０、電動スクーター１６０および電気自動車１７０に対応する。電動移動体２５０は、電動移動体２５０の使用者を乗せて電動で移動する。また、電動移動体２５０は、スイッチ２５１、プラス端子２５２、通信端子２５３、マイナス端子２５４、入出力器２５５、制御器２５６、および、電動機２５７を備える。
【００９０】
スイッチ２５１は、電動移動体２５０の使用者の入力を受け付けるためのスイッチである。例えば、使用者の入力によってスイッチ２５１がオンにされたとき、電動移動体２５０は動作を開始する。そして、使用者の入力によってスイッチ２５１がオフにされたとき、電動移動体２５０は動作を終了する。
【００９１】
プラス端子２５２は、プラス極に対応する端子である。プラス端子２５２は、蓄電装置２３０のプラス端子２３８に接続される。プラス端子２５２は、充電用のプラス端子と、放電用のプラス端子とを別々に備えていてもよい。
【００９２】
通信端子２５３は、通信用の端子である。例えば、通信端子２５３は、蓄電装置２３０と電動移動体２５０との間の通信の伝送路を確立するため、蓄電装置２３０の通信端子２３９に接続される。通信端子２５３は、送信用の端子と、受信用の端子とを備えてもよい。また、通信端子２５３は、接続相手を識別するためのＩＤ端子を備えていてもよい。このようなＩＤ端子は、通信端子２５３とは別に電動移動体２５０に備えられていてもよい。
【００９３】
マイナス端子２５４は、マイナス極に対応する端子である。例えば、マイナス端子２５４は、蓄電装置２３０のマイナス端子２４０に接続される。マイナス端子２５４は、基本的に、蓄電装置２３０の充電と放電とで共通して用いられる。
【００９４】
入出力器２５５は、情報および電力の入出力を行うための入出力器である。例えば、入出力器２５５は、蓄電装置２３０へ情報および電力を出力する。また、入出力器２５５は、蓄電装置２３０から情報および電力の入力を受け付ける。入出力器２５５は、プラス端子２５２、通信端子２５３、および、マイナス端子２５４を備えてもよい。また、入出力器２５５は、スイッチ２５１を介して、使用者の入力を受け付ける。入出力器２５５は、スイッチ２５１を備えてもよい。
【００９５】
制御器２５６は、電動移動体２５０の動作を制御するための制御器である。制御器２５６は、演算処理器（図示せず）と、制御プログラムを記憶する記憶器（図示せず）とを備えてもよい。演算処理器としては、ＭＰＵ、ＣＰＵが例示される。記憶器としては、メモリが例示される。制御器２５６は、集中制御を行う単独の制御器で構成されていてもよいし、互いに協働して分散制御を行う複数の制御器で構成されていてもよい。
【００９６】
電動機２５７は、電力によって動作するモータであって、図１に示された電動機１５２、１６３、１７５に対応する。例えば、電動機２５７は、蓄電装置２３０から供給される電力によって動作する。電動移動体２５０は、電動機２５７が動作することによって移動する。電動機２５７は、回生ブレーキ等を備えてもよい。
【００９７】
図３は、図１に示されたシステム環境における情報端末およびサーバ装置の構成を示すブロック図である。図３には、情報端末２１０、ネットワーク１８０、サーバ装置１３１および蓄電装置２３０が示されている。
【００９８】
蓄電装置２３０は、上述した通り、本開示の蓄電装置の一例であって、図１に示された蓄電装置１１２〜１１４、１１８、１４２、１５１、１６１、１６２、１７１〜１７４に対応する。
【００９９】
情報端末２１０は、上述した通り、本開示の情報端末の一例であって、図１に示された情報端末１４３、１５３、１６４、１７６に対応し、携帯端末でもよいし、携帯電話でもよいし、スマートフォンでもよい。また、情報端末２１０は、検出器２１１、記憶器２１２、通信器２１３、制御器２１４、入出力器２１５、通信器２１６および電源２１７を備える。
【０１００】
検出器２１１は、情報端末２１０の状態を検出するための検出器である。検出器２１１は、ＧＰＳ（Ｇｌｏｂａｌ  Ｐｏｓｉｔｉｏｎｉｎｇ  Ｓｙｓｔｅｍ）に基づく位置センサーでもよいし、振動センサーでもよいし、加速度センサーでもよいし、地磁気センサーでもよいし、その他のセンサーでもよい。例えば、検出器２１１は、情報端末２１０の位置、振動および加速度等を検出する。
【０１０１】
記憶器２１２は、情報を記憶するための記憶器である。例えば、蓄電装置２３０の状態を示す情報が通信器２１３および制御器２１４等を介して記憶器２１２に記憶される。蓄電装置２３０の状態を示す情報は履歴として記憶器２１２に蓄積されてもよい。あるいは、蓄電装置２３０の状態を示す最新の情報のみが、記憶器２１２に記憶されてもよい。あるいは、履歴と最新の情報とが組み合わされて、記憶器２１２に記憶されてもよい。
【０１０２】
また、蓄電装置２３０の電池ＩＤ、および、蓄電装置２３０の状態を示す情報が取得された日時等が、蓄電装置２３０の状態を示す情報に対応付けられて記憶器２１２に記憶されてもよい。
【０１０３】
通信器２１３は、本開示の第１通信器の一例であって、近距離無線通信を行うための通信器である。具体的には、通信器２１３は、蓄電装置２３０と近距離無線通信する。例えば、通信器２１３は、近距離無線通信の国際標準規格であるＩＥＥＥ８０２．１５．１規格に従って、蓄電装置２３０と近距離無線通信を行う。そして、通信器２１３は、蓄電装置２３０の状態を示す情報、および、蓄電装置２３０の電池ＩＤ等を受信する。
【０１０４】
制御器２１４は、情報端末２１０の動作を制御するための制御器である。制御器２１４は、演算処理器（図示せず）と、制御プログラムを記憶する記憶器（図示せず）とを備えてもよい。演算処理器としては、ＭＰＵ、ＣＰＵが例示される。記憶器としては、メモリが例示される。制御プログラムを記憶する記憶器として、記憶器２１２が用いられてもよい。制御器２１４は、集中制御を行う単独の制御器で構成されていてもよいし、互いに協働して分散制御を行う複数の制御器で構成されていてもよい。なお、制御器２１４は、本開示の制御器の一例である。
【０１０５】
例えば、制御器２１４は、通信器２１３を介して、蓄電装置２３０の状態を示す情報を取得する。そして、制御器２１４は、蓄電装置２３０の状態を示す情報に、情報の取得日時、蓄電装置２３０の電池ＩＤ、使用者の使用者ＩＤ、情報端末２１０の位置情報、および、情報の取得回数等を対応付けて、これらの情報を記憶器２１２に記憶する。そして、制御器２１４は、通信器２１６等を介して、サーバ装置１３１にこれらの情報を送信する。
【０１０６】
これにより、蓄電装置２３０からサーバ装置１３１へ、蓄電装置２３０の状態を示す情報が送信される。
【０１０７】
入出力器２１５は、情報の入出力を行うためのユーザインタフェースである。例えば、入出力器２１５は、情報を出力することにより、使用者に情報を通知する。また、入出力器２１５は、使用者から情報の入力を受け付ける。入出力器２１５は、表示画面、スピーカ、マイク、タッチパネルおよび操作ボタン等を備えてもよい。
【０１０８】
通信器２１６は、本開示の第２通信器の一例であって、無線通信を行うための通信器である。通信器２１６は、例えば、近距離無線通信よりも通信距離の長い無線通信を行う通信器であってもよく、例えば、ＬＴＥ（登録商標）用の通信器が挙げられる。
【０１０９】
具体的には、通信器２１６は、サーバ装置１３１と無線通信する。例えば、通信器２１６は、第３世代移動通信システム（３Ｇ）または第４世代移動通信システム（４Ｇ）等のような移動通信システムで利用される通信規格に従って、サーバ装置１３１と無線通信を行う。より具体的には、通信器２１６は、無線通信によって基地局にアクセスし、基地局を介してネットワーク１８０に接続する。そして、通信器２１６は、ネットワーク１８０を介して、サーバ装置１３１と通信する。
【０１１０】
また、例えば、通信器２１６は、制御器２１４が行う制御に従って、蓄電装置２３０の状態を示す情報を情報の取得日時および蓄電装置２３０の電池ＩＤ等と共にサーバ装置１３１に送信する。
【０１１１】
電源２１７は、情報端末２１０の各構成要素に電力を供給するための電源である。電源２１７は、蓄電池でもよい。
【０１１２】
ネットワーク１８０は、上述した通り、各種の通信機器が通信するための通信ネットワークであり、例えば、インターネットである。
【０１１３】
サーバ装置１３１は、上述した通り、本開示のサーバ装置の一例であって、蓄電装置２３０の状態を示す情報を収集する装置である。また、サーバ装置１３１は、通信器１３３、制御器１３４および記憶器１３２を備える。なお、サーバ装置１３１には、外部の電力系統（図示せず）から電力が供給される。
【０１１４】
通信器１３３は、通信を行うための通信器である。例えば、通信器１３３は、第３世代移動通信システム（３Ｇ）または第４世代移動通信システム（４Ｇ）等のような移動通信システムを介して、情報端末２１０と無線通信を行う。そして、通信器１３３は、情報端末２１０から、蓄電装置２３０の状態を示す情報、情報の取得日時、蓄電装置２３０の電池ＩＤ、使用者の使用者ＩＤ、位置情報、および、取得回数等を受信する。
【０１１５】
制御器１３４は、サーバ装置１３１の動作を制御するための制御器である。制御器１３４は、演算処理器（図示せず）と、制御プログラムを記憶する記憶器（図示せず）とを備えてもよい。演算処理器としては、ＭＰＵ、ＣＰＵが例示される。記憶器としては、メモリが例示される。制御プログラムを記憶する記憶器として、記憶器１３２が用いられてもよい。制御器１３４は、集中制御を行う単独の制御器で構成されていてもよいし、互いに協働して分散制御を行う複数の制御器で構成されていてもよい。
【０１１６】
例えば、制御器１３４は、情報端末２１０から、通信器１３３等を介して、蓄電装置２３０の状態を示す情報等を取得する。そして、制御器１３４は、蓄電装置２３０の状態を示す情報等を記憶器１３２に記憶する。制御器１３４は、蓄電装置２３０の状態を示す情報等を履歴として記憶器１３２に蓄積してもよい。あるいは、制御器１３４は、蓄電装置２３０の状態を示す最新の情報のみを記憶器１３２に記憶してもよい。あるいは、制御器１３４は、履歴と最新の情報とを組み合わせて、記憶器１３２に記憶してもよい。
【０１１７】
また、制御器１３４は、蓄電装置２３０の状態を示す情報等を記憶器１３２におけるデータベースのデータとして記憶してもよい。
【０１１８】
記憶器１３２は、上述した通り、情報を記憶するための記憶器である。具体的には、蓄電装置２３０の状態を示す情報が記憶器１３２に記憶される。記憶器１３２には、蓄電装置２３０の状態を示す情報が、１年以上のように比較的長い期間の履歴として、蓄積されてもよい。これにより、蓄電装置２３０の状態を示す情報が収集され、蓄電装置２３０の状態が適切に管理される。
【０１１９】
図４は、図３に示された蓄電装置２３０、情報端末２１０およびサーバ装置１３１における通信を示す模式図である。図４には、使用者２７０、情報端末２１０、スイッチ２５１、電動移動体２５０、蓄電装置２３０、管理センター１３０、サーバ装置１３１および記憶器１３２が示されている。情報端末２１０、スイッチ２５１、電動移動体２５０、蓄電装置２３０、管理センター１３０、サーバ装置１３１および記憶器１３２は、上述した構成要素である。
【０１２０】
使用者２７０は、情報端末２１０の使用者である。また、使用者２７０は、電動移動体２５０の使用者でもあり、蓄電装置２３０の使用者でもある。
【０１２１】
蓄電装置２３０の状態を示す情報は、情報端末２１０を介して、蓄電装置２３０からサーバ装置１３１に送信される。蓄電装置２３０と情報端末２１０との間の通信には、近距離無線通信が用いられ、情報端末２１０とサーバ装置１３１との間の通信には、近距離無線通信とは異なる無線通信が用いられる。
【０１２２】
蓄電装置２３０自身が、サーバ装置１３１と直接通信することができなくても、使用者２７０が所持する情報端末２１０を介して、蓄電装置２３０の状態を示す情報が蓄電装置２３０からサーバ装置１３１に送信される。
【０１２３】
なお、蓄電装置２３０の状態を示す情報は、蓄電装置２３０に関する電池残容量、充電回数、放電回数、総充電量、総放電量、電池電圧、電池温度、学習容量、異常、衝撃、ＦＥＴ温度、および、現状の動作状態等を示す情報である。蓄電装置２３０の状態を示す情報には、蓄電装置２３０の電池ＩＤが含まれてもよい。このような情報が蓄電装置２３０から情報端末２１０へ送信される。
【０１２４】
また、情報端末２１０からサーバ装置１３１に送信される情報には、蓄電装置２３０の状態を示す情報に加えて、情報の取得日時、使用者２７０の使用者ＩＤ、情報端末２１０の位置情報、および、情報の取得回数等が含まれてもよい。
【０１２５】
図５は、図３および図４等に示された情報端末２１０の動作を示すフローチャートである。
【０１２６】
まず、情報端末２１０の制御器２１４は、情報端末２１０の使用者２７０が電動移動体２５０を利用したときに、蓄電装置２３０と近距離無線通信する通信器２１３を介して、蓄電装置２３０の状態を示す情報を取得する（Ｓ１０１）。そして、情報端末２１０の制御器２１４は、サーバ装置１３１と通信する通信器２１６を介して、蓄電装置２３０の状態を示す情報をサーバ装置１３１に送信する（Ｓ１０２）。
【０１２７】
これにより、蓄電装置２３０の状態を示す情報が、蓄電装置２３０からサーバ装置１３１に送信される。したがって、蓄電装置２３０の状態を示す情報の履歴がサーバ装置１３１に蓄積されずに、使用者が蓄電装置２３０を使用し続けるという状況の発生が低減される。また、情報端末２１０の制御器２１４は、使用者２７０が電動移動体２５０を利用したときに、蓄電装置２３０の状態を示す情報を取得する。使用者２７０が電動移動体２５０を利用したとき、使用者２７０が所持する情報端末２１０と、電動移動体２５０に搭載された蓄電装置２３０とは、互いに近い距離に存在すると想定される。
【０１２８】
したがって、使用者２７０が電動移動体２５０を利用したとき、情報端末２１０と蓄電装置２３０との間における近距離無線通信の利用が可能であると想定される。よって、情報端末２１０の制御器２１４は、使用者２７０が電動移動体２５０を利用したときに、蓄電装置２３０と近距離無線通信することで、蓄電装置２３０の状態を示す情報を適切に取得することができる。
【０１２９】
また、使用者２７０が電動移動体２５０を利用するときに、蓄電装置２３０が使用される。したがって、情報端末２１０の制御器２１４は、使用者２７０が電動移動体２５０を利用したときに、蓄電装置２３０の状態を示す情報を取得することで、蓄電装置２３０が使用されたときの蓄電装置２３０の状態を示す情報を取得することができる。これにより、蓄電装置２３０の使用における異常の有無などを確認することが可能である。
【０１３０】
なお、使用者２７０が電動移動体２５０を利用したときには、電動移動体２５０の利用開始時、利用中および利用終了時が含まれる。情報端末２１０の制御器２１４は、これらのうち全てのタイミングにおいて蓄電装置２３０の状態を示す情報を取得してもよいし、これらのうちのいずれかのタイミングにおいて蓄電装置２３０の状態を示す情報を取得してもよい。
【０１３１】
図６は、図４等に示された電動移動体２５０の利用状態の判定基準を説明するための説明図である。図６には、利用状態として、利用開始、利用中および利用終了が示されている。上述の通り、これらの利用状態において、情報端末２１０の制御器２１４は、蓄電装置２３０の状態を示す情報を取得してもよい。
【０１３２】
また、図６には、これらの利用状態を判定するための判定基準が示されている。例えば、蓄電装置２３０は、これらの判定基準に従って、電動移動体２５０の利用開始、利用中または利用終了を判定し、利用開始、利用中または利用終了が判定されたときに、蓄電装置２３０の状態を示す情報を情報端末２１０に送信する。
【０１３３】
具体的には、蓄電装置２３０の制御器２３４は、電動移動体２５０のスイッチ２５１がオンにされたときに、電動移動体２５０の利用が開始されたと判定する。なお、蓄電装置２３０の制御器２３４は、電動移動体２５０と通信することにより、電動移動体２５０のスイッチ２５１がオンにされたことを認識することができる。
【０１３４】
そして、蓄電装置２３０の制御器２３４は、電動移動体２５０のスイッチ２５１がオンにされているときに、電動移動体２５０の利用中と判定する。そして、蓄電装置２３０の制御器２３４は、電動移動体２５０のスイッチ２５１がオフにされたときに、電動移動体２５０の利用が終了したと判定する。
【０１３５】
また、蓄電装置２３０の制御器２３４は、蓄電装置２３０の負荷電流が所定値よりも増加したときに、電動移動体２５０の利用が開始されたと判定する。蓄電装置２３０の負荷電流は、蓄電装置２３０が出力する電流である。所定値は、例えば、０である。制御器２３４は、蓄電装置２３０の検出器２３７を介して、蓄電装置２３０の負荷電流を検出してもよい。
【０１３６】
そして、蓄電装置２３０の制御器２３４は、蓄電装置２３０の負荷電流が所定値よりも大きいときに、電動移動体２５０の利用中と判定する。そして、蓄電装置２３０の制御器２３４は、蓄電装置２３０の負荷電流が所定値以下に減少したときに、電動移動体２５０の利用が終了したと判定する。
【０１３７】
また、蓄電装置２３０の制御器２３４は、蓄電装置２３０において継続的な振動が開始したときに、電動移動体２５０の利用が開始されたと判定する。制御器２３４は、蓄電装置２３０の検出器２３７を介して、継続的な振動を検出してもよい。
【０１３８】
そして、蓄電装置２３０の制御器２３４は、蓄電装置２３０において継続的な振動が維持されているときに、電動移動体２５０の利用中と判定する。そして、蓄電装置２３０の制御器２３４は、蓄電装置２３０において継続的な振動が終了したときに、電動移動体２５０の利用が終了したと判定する。
【０１３９】
また、蓄電装置２３０の制御器２３４は、蓄電装置２３０における電池残容量の低下が開始したときに、電動移動体２５０の利用が開始されたと判定する。制御器２３４は、蓄電装置２３０の検出器２３７を介して、電池残容量の低下を検出してもよい。
【０１４０】
そして、蓄電装置２３０の制御器２３４は、蓄電装置２３０における電池残容量が低下しているときに、電動移動体２５０の利用中と判定する。そして、蓄電装置２３０の制御器２３４は、蓄電装置２３０における電池残容量の低下が停止したときに、電動移動体２５０の利用が終了したと判定する。
【０１４１】
蓄電装置２３０の制御器２３４は、上記の複数の判定基準のいずれかを用いてもよいし、複数の判定基準を組み合わせて、適切な利用状態を判定してもよい。そして、蓄電装置２３０の制御器２３４は、利用開始、利用中または利用終了のうち少なくともいずれかのタイミングにおいて蓄電装置２３０の状態を示す情報を情報端末２１０に送信する。
【０１４２】
図７〜図９は、図４等において示された情報端末２１０、蓄電装置２３０およびサーバ装置１３１の動作の一例を電動移動体２５０の利用開始段階、利用中段階および利用終了段階に分けて示す。
【０１４３】
図７は、図４等に示された電動移動体２５０の利用開始段階の動作を示すフローチャートである。
【０１４４】
まず、蓄電装置２３０の制御器２３４は、電動移動体２５０のスイッチ２５１がオンにされているか否かを判定する（Ｓ２１１）。また、蓄電装置２３０の制御器２３４は、蓄電装置２３０の負荷電流が所定値よりも大きいか否かを判定する（Ｓ２１２）。また、蓄電装置２３０の制御器２３４は、継続的な振動が有るか否かを判定する（Ｓ２１３）。蓄電装置２３０の制御器２３４は、これら（Ｓ２１１、Ｓ２１２、Ｓ２１３）の全てが肯定されるまで、これらの判定を繰り返す。
【０１４５】
そして、これら（Ｓ２１１、Ｓ２１２、Ｓ２１３）の全てが肯定されたときに、蓄電装置２３０の制御器２３４は、電動移動体２５０の利用が開始されたと判定する。そして、電動移動体２５０の利用開始時に、蓄電装置２３０の制御器２３４は、通信器２３１を介して、情報端末２１０と近距離無線通信し、蓄電装置２３０の状態を示す情報を情報端末２１０に送信する（Ｓ２１４）。
【０１４６】
その際、情報端末２１０の制御器２１４は、通信器２１３を介して、蓄電装置２３０と近距離無線通信し、蓄電装置２３０の状態を示す情報を蓄電装置２３０から受信する。すなわち、電動移動体２５０の利用開始時に、情報端末２１０の制御器２１４は、通信器２１３を介して、蓄電装置２３０の状態を示す情報を取得する。
【０１４７】
そして、情報端末２１０の制御器２１４は、通信器２１６を介して、サーバ装置１３１と無線通信し、蓄電装置２３０の状態を示す情報をサーバ装置１３１に送信する（Ｓ２１５）。その際、サーバ装置１３１の制御器１３４は、通信器１３３を介して、情報端末２１０と通信し、蓄電装置２３０の状態を示す情報を情報端末２１０から受信する。
【０１４８】
これにより、電動移動体２５０の利用開始時に、蓄電装置２３０の状態を示す情報が収集される。すなわち、蓄電装置２３０の使用開始時に、蓄電装置２３０の状態を示す情報が収集される。
【０１４９】
図８は、図４等に示された電動移動体２５０の利用中段階の動作を示すフローチャートである。すなわち、図８は、図７の動作の続きを示す。
【０１５０】
電動移動体２５０の利用開始後、蓄電装置２３０の制御器２３４は、蓄電装置２３０の状態を示す情報を情報端末２１０に送信してから所定時間経過するまで待機する（Ｓ２２１）。
【０１５１】
その後、蓄電装置２３０の制御器２３４は、電動移動体２５０のスイッチ２５１がオンにされているか否かを判定する（Ｓ２２２）。また、蓄電装置２３０の制御器２３４は、蓄電装置２３０の負荷電流が所定値よりも大きいか否かを判定する（Ｓ２２３）。また、蓄電装置２３０の制御器２３４は、継続的な振動が有るか否かを判定する（Ｓ２２４）。
【０１５２】
そして、これら（Ｓ２２２、Ｓ２２３、Ｓ２２４）の全てが肯定されたときに、蓄電装置２３０の制御器２３４は、電動移動体２５０の利用が継続されていると判定する。そして、蓄電装置２３０の制御器２３４は、通信器２３１を介して、情報端末２１０と近距離無線通信し、蓄電装置２３０の状態を示す情報を情報端末２１０に送信する（Ｓ２２５）。
【０１５３】
その際、情報端末２１０の制御器２１４は、通信器２１３を介して、蓄電装置２３０と近距離無線通信し、蓄電装置２３０の状態を示す情報を蓄電装置２３０から受信する。すなわち、電動移動体２５０の利用中に、情報端末２１０の制御器２１４は、通信器２１３を介して、蓄電装置２３０の状態を示す情報を取得する。
【０１５４】
そして、蓄電装置２３０の制御器２３４は、再び、蓄電装置２３０の状態を示す情報を情報端末２１０に送信してから所定時間経過するまで待機する（Ｓ２２１）。
【０１５５】
一方、電動移動体２５０の利用が継続されているか否かについての上記の判定（Ｓ２２２、Ｓ２２３、Ｓ２２４）の少なくとも１つが否定されたときに、蓄電装置２３０の制御器２３４は、電動移動体２５０の利用が終了されたと判定する。そして、後述の利用終了段階の動作が行われる。
【０１５６】
上記の動作によって、電動移動体２５０の利用中に、情報端末２１０の制御器２１４は、通信器２１３を介して、蓄電装置２３０の状態を示す情報を周期的に取得する。
【０１５７】
図９は、図４等に示された電動移動体２５０の利用終了段階の動作を示すフローチャートである。すなわち、図９は、図８の動作の続きを示す。
【０１５８】
電動移動体２５０の利用終了時に、情報端末２１０の制御器２１４は、通信器２１６を介して、サーバ装置１３１と無線通信し、蓄電装置２３０の状態を示す情報をサーバ装置１３１に送信する（Ｓ２３１）。その際、サーバ装置１３１の制御器１３４は、通信器１３３を介して、情報端末２１０と通信し、蓄電装置２３０の状態を示す情報を情報端末２１０から受信する。
【０１５９】
これにより、電動移動体２５０の利用中に情報端末２１０において周期的に蓄電装置２３０から取得された情報が、電動移動体２５０の利用終了時に情報端末２１０からサーバ装置１３１に送信される。したがって、通信トラフィックの増大を抑制しつつ、使用中の蓄電装置２３０の状態を示す情報を収集することが可能である。
【０１６０】
なお、電動移動体２５０の利用中に周期的に取得された情報のうち、電動移動体２５０の利用終了時点に最も近い時点に取得された情報、すなわち、最後に取得された情報が、電動移動体２５０の利用終了後にサーバ装置１３１に送信されてもよい。
【０１６１】
また、図７〜図９に示された動作は、一例であって、情報端末２１０、蓄電装置２３０およびサーバ装置１３１の動作は、図７〜図９に示された動作に限定されない。利用中段階において、蓄電装置２３０から情報端末２１０へ送信された情報が、随時、情報端末２１０からサーバ装置１３１へ送信されてもよい。また、利用終了時に、蓄電装置２３０の状態を示す情報が、蓄電装置２３０から取得され、サーバ装置１３１に送信されてもよい。
【０１６２】
図７〜図９では、蓄電装置２３０が、電動移動体２５０が利用されたか否かを判定し、電動移動体２５０が利用されたときに、蓄電装置２３０の状態を示す情報を情報端末２１０に送信する。情報端末２１０は、送信された情報を取得することによって、電動移動体２５０が利用されたときに、蓄電装置２３０の状態を示す情報を取得することができる。このような例に代えて、情報端末２１０が、位置情報などに基づいて、電動移動体２５０が利用されたか否かを推定してもよい。
【０１６３】
図１０は、図４等に示された情報端末２１０の動作の第１変形例を示すフローチャートである。
【０１６４】
まず、情報端末２１０の制御器２１４は、検出器２１１を介して、情報端末２１０が移動しているか否かを判定する（Ｓ３０１）。これにより、電動移動体２５０が利用されたか否かが推定される。例えば、情報端末２１０の制御器２１４は、所定の速度よりも大きな速度で移動しているか否かを判定してもよい。所定の速度は、例えば、平均的な歩行速度である。そして、情報端末２１０の制御器２１４は、情報端末２１０が移動していると判定されるまで、情報端末２１０が移動しているか否かの判定を繰り返す。
【０１６５】
そして、情報端末２１０が移動しているときに、情報端末２１０の制御器２１４は、近距離無線通信を有効にする（Ｓ３０２）。すなわち、情報端末２１０の制御器２１４は、情報端末２１０の通信器２１３が近距離無線通信を行うことを許可する。そして、情報端末２１０の制御器２１４は、通信器２１３を介して、蓄電装置２３０との近距離無線通信を開始する（Ｓ３０３）。
【０１６６】
そして、情報端末２１０の制御器２１４は、通信器２１３を介して、蓄電装置２３０の負荷電流が所定値よりも大きいか否かを判定する（Ｓ３０４）。これにより、電動移動体２５０が利用されたことが確認される。
【０１６７】
そして、蓄電装置２３０の負荷電流が所定値よりも大きいとき（Ｓ３０４でＹｅｓ）、情報端末２１０の制御器２１４は、通信器２１３を介して、蓄電装置２３０の状態を示す情報を蓄電装置２３０から取得する（Ｓ３０５）。その際、情報端末２１０の制御器２１４は、入出力器２１５を介して、情報端末２１０が蓄電装置２３０の状態を示す情報の取得中であることを報知する（Ｓ３０６）。
【０１６８】
例えば、情報端末２１０の制御器２１４は、情報端末２１０の入出力器２１５が備える表示画面に、情報端末２１０が情報の取得中であることを表示することで、情報端末２１０が情報の取得中であることを情報端末２１０の使用者２７０に報知する。情報端末２１０の制御器２１４は、音の出力によって、報知を行ってもよい。これにより、使用者２７０は、蓄電装置２３０の状態が適切に管理されていることを認識することができる。
【０１６９】
情報端末２１０の制御器２１４は、通信器２１６等を介する通信によって、サーバ装置１３１、または、その他の装置へ、情報端末２１０が情報の取得中であることを報知してもよい。
【０１７０】
そして、情報端末２１０の制御器２１４は、蓄電装置２３０の状態を示す情報の取得を完了するまで、蓄電装置２３０の状態を示す情報の取得（Ｓ３０５）、および、報知（Ｓ３０６）を継続する（Ｓ３０７）。
【０１７１】
情報端末２１０の制御器２１４は、蓄電装置２３０の状態を示す情報の取得を完了したときに（Ｓ３０７でＹｅｓ）、または、蓄電装置２３０の負荷電流が所定値以下であるときに（Ｓ３０４でＮｏ）、蓄電装置２３０との近距離無線通信を終了する（Ｓ３０８）。そして、情報端末２１０の制御器２１４は、近距離無線通信を無効にする（Ｓ３０９）。すなわち、情報端末２１０の制御器２１４は、情報端末２１０の通信器２１３が近距離無線通信を行うことを禁止する。
【０１７２】
その後、情報端末２１０の制御器２１４は、近距離無線通信を無効にしてから所定時間経過するまで待機する（Ｓ３１０）。その後、情報端末２１０の制御器２１４は、情報端末２１０が移動しているか否かの判定から処理を繰り返す。
【０１７３】
情報端末２１０は、上記の動作によって、電動移動体２５０を利用したときに、蓄電装置２３０の状態を示す情報を取得することができる。
【０１７４】
なお、図１０に示された動作の一部は省略されてもよい。特に、近距離無線通信を有効または無効にする処理（Ｓ３０２、Ｓ３０９）、負荷電流が所定値よりも大きいか否かを判定する処理（Ｓ３０４）、および、情報端末２１０が情報の取得中であることを報知する処理（Ｓ３０６）は、それぞれ、省略されてもよい。
【０１７５】
例えば、近距離無線通信は、常時、有効であってもよい。この場合、近距離無線通信を有効または無効にする処理（Ｓ３０２、Ｓ３０９）は省略される。また、情報端末２１０が移動していることによって、電動移動体２５０が利用されているとみなされてもよい。この場合、負荷電流が所定値よりも大きいか否かを判定する処理（Ｓ３０４）が省略され、負荷電流が所定値よりも大きいことが判定されることなく、蓄電装置２３０の状態を示す情報が取得される（Ｓ３０５）。
【０１７６】
また、図１０に示された動作では、情報端末２１０が蓄電装置２３０の状態を示す情報の取得中であることが報知されている。しかし、情報端末２１０が蓄電装置２３０の状態を示す情報が取得されていないことが報知されてもよい。例えば、情報端末２１０が蓄電装置２３０と近距離無線通信することができないときに、取得中における報知とは別の報知が行われてもよい。
【０１７７】
図１１は、図４等に示された情報端末２１０の移動の判定基準を説明するための説明図である。具体的には、図１１は、図１０に示された移動の判定（Ｓ３０１）における基準を示す。
【０１７８】
情報端末２１０の制御器２１４は、電動移動体２５０が利用されたか否かを推定するため、情報端末２１０が移動しているか否かを判定する。その際、情報端末２１０の制御器２１４は、情報端末２１０の検出器２１１を用いる。情報端末２１０の検出器２１１の種別によって、情報端末２１０が移動しているか否かの判定方法が異なる。
【０１７９】
例えば、情報端末２１０の検出器２１１がＧＰＳに基づく位置センサーであるとき、情報端末２１０の制御器２１４は、位置の継続的な移動に基づいて、情報端末２１０が移動しているか否かを判定する。具体的には、情報端末２１０の制御器２１４は、ＧＰＳに基づく位置センサーによって検出される位置が継続的に移動しているときに、情報端末２１０が移動していると判定する。
【０１８０】
また、情報端末２１０の検出器２１１が振動センサーであるとき、情報端末２１０の制御器２１４は、継続的な振動に基づいて、情報端末２１０が移動しているか否かを判定する。具体的には、情報端末２１０の制御器２１４は、振動センサーによって継続的に振動が検出されるときに、情報端末２１０が移動していると判定する。
【０１８１】
また、情報端末２１０の検出器２１１が加速度センサーであるとき、情報端末２１０の制御器２１４は、加速度の継続的な変化に基づいて、情報端末２１０が移動しているか否かを判定する。具体的には、情報端末２１０の制御器２１４は、加速度センサーによって検出される加速度が継続的に変化しているときに、情報端末２１０が移動していると判定する。
【０１８２】
また、情報端末２１０の検出器２１１が地磁気センサーであるとき、情報端末２１０の制御器２１４は、位置の継続的な移動に基づいて、情報端末２１０が移動しているか否かを判定する。具体的には、情報端末２１０の制御器２１４は、地磁気センサーによって検出される位置が継続的に移動しているときに、情報端末２１０が移動していると判定する。
【０１８３】
また、情報端末２１０の検出器２１１が上記の複数のセンサーの組み合わせであるとき、情報端末２１０の制御器２１４は、上記の複数の判定基準の組み合わせで、情報端末２１０が移動しているか否かを判定してもよい。あるいは、情報端末２１０の制御器２１４は、上記の複数の判定基準のうちの１つで、情報端末２１０が移動しているか否かを判定してもよい。
【０１８４】
図１２は、図４等に示された情報端末２１０の動作の第２変形例を示すフローチャートである。図１２に示された例は、図１０に示された例とほぼ同じであるが、図１２に示された例では、近距離無線通信を有効にするための要求を表示する処理（Ｓ３１１）が追加されている。以下、図１０に示された例と異なる部分について、説明する。
【０１８５】
情報端末２１０の制御器２１４は、情報端末２１０が移動しているときに、近距離無線通信を有効にするための要求を情報端末２１０の入出力器２１５が備える表示画面に表示する（Ｓ３１１）。すなわち、情報端末２１０の制御器２１４は、近距離無線通信を有効にするための指示を情報端末２１０の使用者２７０に促す。
【０１８６】
例えば、情報端末２１０の使用者２７０は、表示された要求に従って、近距離無線通信を有効にするための指示を情報端末２１０の入出力器２１５に入力する。情報端末２１０の制御器２１４は、指示に従って近距離無線通信を有効にする（Ｓ３０２）。
【０１８７】
これにより、情報端末２１０は、情報端末２１０の指示に従って、適切に、近距離無線通信を有効にすることができる。
【０１８８】
図１３は、図４等に示された情報端末２１０の近距離無線通信を有効にするための要求の表示例を示す模式図である。すなわち、図１３は、近距離無線通信を有効にするための要求を表示する処理（図１２のＳ３１１）において、情報端末２１０の表示画面に表示される要求を示す。例えば、図１３のような表示に従って、情報端末２１０の使用者２７０は、近距離無線通信を有効にするための指示を情報端末２１０に入力する。
【０１８９】
これにより、情報端末２１０と蓄電装置２３０との間の近距離無線通信が可能になり、情報端末２１０を介して、蓄電装置２３０からサーバ装置１３１へ蓄電装置２３０の状態を示す情報を送信することが可能になる。なお、近距離無線通信を有効にするための要求を表示する処理（Ｓ３１１）は、情報端末２１０が移動していると初めに判定されたときに行われ、その後、この処理は省略されてもよい。
【０１９０】
以上のように、本実施の形態における情報端末の制御方法及び情報端末等によって、蓄電装置の状態を示す情報の履歴がサーバ装置に蓄積されずに、使用者が蓄電装置を使用し続けるという状況の発生が低減されるので、蓄電装置の状態が適切に管理される。
【０１９１】
なお、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行器が、ハードディスクまたは半導体メモリなどの記録媒体に記録されたソフトウェアプログラムを読み出して実行することによって実現されてもよい。ここで、上記実施の形態の情報端末などを実現するソフトウェアは、次のようなプログラムである。
【０１９２】
すなわち、このプログラムは、情報端末におけるコンピュータ等に、情報端末の制御方法であって、前記情報端末の使用者が電動移動体を利用したときに、前記情報端末の通信器であり前記電動移動体に搭載される蓄電装置と近距離無線通信する通信器である第１通信器を介して、前記蓄電装置の状態を示す情報を取得するステップと、前記蓄電装置の状態を示す情報を、前記情報端末の通信器でありサーバ装置と通信する通信器である第２通信器を介して、前記サーバ装置に送信するステップとを備える情報端末の制御方法を実行させる。
【０１９３】
また、上記実施の形態において、各構成要素は、回路でもよい。複数の構成要素が、全体として１つの回路を構成してもよいし、それぞれ別々の回路を構成してもよい。また、回路は、それぞれ、汎用的な回路でもよいし、専用の回路でもよい。
【０１９４】
また、上記に例示された通信規格は、一例であって、その他の通信規格が用いられてもよい。
【０１９５】
以上、一つまたは複数の態様に係る情報端末の制御方法について、実施の形態に基づいて説明したが、本開示は、この実施の形態に限定されるものではない。本開示の趣旨を逸脱しない限り、当業者が思いつく各種変形を本実施の形態に施したもの、及び異なる実施の形態における構成要素を組み合わせて構築される形態も、一つまたは複数の態様の範囲内に含まれてもよい。
【０１９６】
例えば、上記実施の形態において、特定の構成要素が実行する処理を特定の構成要素の代わりに別の構成要素が実行してもよい。また、複数の処理の順序が変更されてもよいし、複数の処理が並行して実行されてもよい。
【産業上の利用可能性】
【０１９７】
本開示は、情報端末の制御方法及び情報端末等に利用可能であり、蓄電装置の貸与システム、および、蓄電装置の管理システム等に適用可能である。
【符号の説明】
【０１９８】
１１０  サービスセンター
１１１  充電ロッカー
１１２、１１３、１１４、１１８、１４２、１５１、１６１、１６２、１７１、１７２、１７３、１７４、２３０  蓄電装置
１１５  情報処理装置
１１６  検査装置
１１７  カードリーダー
１１９  会員カード
１２０、１４４  ルータ装置
１３０  管理センター
１３１  サーバ装置
１３２、２１２、２３６  記憶器
１３３、２１３、２１６、２３１  通信器
１３４、２１４、２３４、２５６  制御器
１４０  家
１４１  充電装置
１４３、１５３、１６４、１７６、２１０  情報端末
１５０  電動自転車
１５２、１６３、１７５、２５７  電動機
１６０  電動スクーター
１７０  電気自動車
１８０  ネットワーク
２１１、２３７  検出器
２１５、２３５、２５５  入出力器
２１７  電源
２３２  表示器
２３３  蓄電池
２３８、２５２  プラス端子
２３９、２５３  通信端子
２４０、２５４  マイナス端子
２５０  電動移動体
２５１  スイッチ
２７０  使用者
【図１】
2017045718.tif 000003
【図２】
2017045718.tif 000004
【図３】
2017045718.tif 000005
【図４】
2017045718.tif 000006
【図５】
2017045718.tif 000007
【図６】
2017045718.tif 000008
【図７】
2017045718.tif 000009
【図８】
2017045718.tif 000010
【図９】
2017045718.tif 000011
【図１０】
2017045718.tif 000012
【図１１】
2017045718.tif 000013
【図１２】
2017045718.tif 000014
【図１３】
2017045718.tif 000015